(57)【要約】      （修正有）【課題】バッテリーによって駆動されるデータロガーを提供する。【解決手段】所定の物理量を計測するセンサー１２と、所定の物理量に基づき、ログを作成するログ作成手段２１と、ログの作成を、別のデータロガーへ引き継ぐべき状態を検出する検出手段２４と、データロガー１０と同期された別のデータロガーと通信する通信手段１４と、引き継ぐべき状態が検出された場合、通信手段１４によって、別のデータロガーとの間で通信を行うことによって、別のデータロガーにログの作成を引き継がせるための処理を行う制御手段２０と、を備える。【選択図】図２
2017101974.tif 000002
【特許請求の範囲】
【請求項１】
バッテリーによって駆動されるデータロガーであって、
所定の物理量を計測するセンサーと、
前記所定の物理量に基づき、ログを作成するログ作成手段と、
前記ログの作成を、別のデータロガーへ引き継ぐべき状態を検出する検出手段と、
前記データロガーと同期された前記別のデータロガーと通信する通信手段と、
前記状態が検出された場合、前記通信手段によって、前記別のデータロガーとの間で通信を行うことによって、前記別のデータロガーにログの作成を引き継がせるための処理を行う制御手段と、
を備えたデータロガー。
【請求項２】
前記ログを記録するためのストレージをさらに備え、
前記検出手段は、前記バッテリーの残量が低下していること、前記ストレージの残量が所定の値よりも低いこと、または、前記センサーの故障を、前記引き継ぐべき状態として検出する、請求項１記載のデータロガー。
【請求項３】
前記制御手段は、前記ログ作成手段がログを作成している間、前記通信手段による通信を一定間隔で試みる請求項１または２に記載のデータロガー。
【請求項４】
前記制御手段は、前記通信手段が、前記別のデータロガーと通信できなかった場合、前記通信手段による通信の試みを停止する請求項１乃至３の何れか１項に記載のデータロガー。
【請求項５】
前記センサーは、前記データロガーに対する衝撃を検出する衝撃センサー、または、光量を検出する光量センサーを含み、
前記検出手段は、前記衝撃センサーによって前記衝撃が検出されたことまたは前記光量センサーによって光量が検出されたことを、前記引き継ぐべき状態として検出する、請求項１乃至４の何れか１項に記載のデータロガー。
【請求項６】
バッテリーによって駆動されるデータロガーに組み込まれたコンピュータに、
所定の物理量をセンサーに計測させることと、
前記所定の物理量に基づき、ログを作成させることと、
前記ログの作成を、別のデータロガーへ引き継ぐべき状態を検出することと、
前記状態が検出された場合、前記データロガーと同期された前記別のデータロガーと通信することによって、前記別のデータロガーにログの作成を引き継がせるための処理を行うことと、
を実行させるためのプログラム。
【請求項７】
前記検出することは、前記バッテリーの残量が低下していることを、前記ログを記録するためのストレージの残量が所定の値よりも低いこと、または、前記センサーの故障を、前記引き継ぐべき状態として検出する、請求項６記載のプログラム。
【請求項８】
前記引き継がせるための処理を行うことは、前記ログの作成が行われている間、前記通信を一定間隔で試みる請求項６乃至７の何れか１項に記載のプログラム。
【請求項９】
前記引き継がせるための処理を行うことは、前記別のデータロガーと通信できなかった場合、前記通信の試みを停止する請求項６乃至８の何れか１項に記載のプログラム。
【請求項１０】
前記センサーが、前記データロガーに対する衝撃を検出する衝撃センサー、または、光量を検出する光量センサーである場合、前記検出することは、前記衝撃センサーによって前記衝撃が検出されたことまたは前記光量センサーによって光量が検出されたことを、前記引き継ぐべき状態として検出する、請求項６乃至９の何れか１項に記載のプログラム。
【請求項１１】
バッテリーによって駆動されるデータロガーであって、
所定の物理量を計測するセンサーと、
前記所定の物理量に基づき、ログを作成するログ作成手段と、
前記データロガーと同期された別のデータロガーと通信する通信手段と、
当該データロガーの電源ＯＦＦモードと、前記別のデータロガーと通信可能な通信モードと、を一定間隔で切替える切替手段と、
前記通信モードにおいて、前記別のデータロガーとの通信が確立すると、前記センサーによる前記所定の物理量の計測を開始する制御手段と、
を備えたデータロガー。
【発明の詳細な説明】
【技術分野】
【０００１】
本発明の実施形態は、バッテリーによって駆動されるデータロガーおよび該データロガーに適用されるプログラムに関する。
【背景技術】
【０００２】
通常、様々な環境においてデータを取得するために、取得したデータをログとして記録可能なデータロガーが広く用いられている。この種のデータロガーは、充電できないような状況で使用されるために、バッテリーによって駆動される。
【０００３】
この種のデータロガーに関して、連続して稼働する時間や日数等、すなわち連続稼働時間は、データロガーの性能を示す重要な指標の１つである。そのため、そのバッテリーの容量を大きくすることによって、その連続稼働時間を長くする手法が用いられている。
【先行技術文献】
【特許文献】
【０００４】
【特許文献１】実開昭６３−９２２６９号公報
【特許文献２】特開２０１１−１０９７７１号公報
【特許文献３】特開２００２−４９６４６号公報
【発明の概要】
【発明が解決しようとする課題】
【０００５】
しかしながら、近年、データロガーの小型化が求められており、単純にバッテリーの容量を大きくした場合、小型化することが困難である。また、単純にバッテリーの容量を大きくすることは、データロガー本体の大型化を伴うために、データロガーとしての商品価値を低下させることになる。
【０００６】
また、どんなにバッテリーの容量を大きくしても、いずれバッテリーの容量が無くなり、単一のデータロガーでは、ログの作成を継続できなくなる時が来る。
【０００７】
また、データロガーによって作成されたログを記録するためのストレージの容量に関しても、大容量のストレージが求められている。しかしながら、大容量のストレージを用いた場合、コストが高くなる。そして、この場合も、データロガーとしての商品価値を低下させることになる。
【課題を解決するための手段】
【０００８】
実施形態によれば、バッテリーによって駆動されるデータロガーであって、所定の物理量を計測するセンサーと、所定の物理量に基づき、ログを作成するログ作成手段と、ログの作成を、別のデータロガーへ引き継ぐべき状態を検出する検出手段と、データロガーと同期された別のデータロガーと通信する通信手段と、引き継ぐべき状態が検出された場合、通信手段によって、別のデータロガーとの間で通信を行うことによって、別のデータロガーにログの作成を引き継がせるための処理を行う制御手段と、を備える。
【図面の簡単な説明】
【０００９】
【図１】第１の実施形態のロガー制御システムの例を示す概念図。
【図２】第１の実施形態のセンシングロガーの構成例を示す機能ブロック図。
【図３】第１の実施形態のセンシングロガーによって実行されるロガー制御処理手順の一例を示したフローチャート。
【図４】第１の実施形態の別のセンシングロガーによって実行されるロガー制御処理手順の一例を示したフローチャート。
【図５】第２の実施形態のロガー制御システムの例を示す概念図。
【図６】第２の実施形態のセンシングロガーの構成例を示す機能ブロック図。
【図７】第２の実施形態のセンシングロガーによって実行されるロガー制御処理手順の一例を示したフローチャート。
【図８】第２の実施形態のセンシングロガーによって実行される別のロガー制御処理手順の一例を示したフローチャート。
【図９】第１の実施形態および第２の実施形態のセンシングロガーによって作成されるログデータの一例を示すテーブル。
【図１０】第１の実施形態および第２の実施形態のセンシングロガーの外観の一例を示す斜視図。
【発明を実施するための形態】
【００１０】
（第１の実施形態）
以下、図面を参照してこの発明に係る第１の実施形態を説明する。  
まず、図１を参照して、第１の実施形態の概要について説明する。図１は、第１の実施形態におけるロガー制御システム１を示す図である。
【００１１】
第１の実施形態において、センシングロガー１０ａは、例えば、貨物用のデータロガーとして貨物とともに貨物として荷物等が入っている箱内等に設置され、そこでのセンシング情報を取得し、取得したセンシング情報をログとして取得するデータロガーである。センシング情報は、例えば、気圧、温度、湿度等の気候に関する気候情報、振動、加速度等の環境情報、および、衝撃、光量等の後述するイベントに関するイベント情報を含む情報である。ログは、例えば、センシング情報が記録されたデータのことを称する。したがって、センシングロガー１０ａは、例えば、防水性や耐圧性等を有しており、水中や気圧が高い場所等の通常の環境と異なる環境でも使用できるような構成を有する。
【００１２】
このようなセンシングロガー１０ａは、センシングロガー１０ａに内蔵された図示しないバッテリーによって駆動される。そして、センシングロガー１０ａは、ログを作成している間に、バッテリー残量７が低下した場合、別のセンシングロガー１０ｂと無線通信８を行うことによって、別のセンシングロガー１０ｂに対してログの作成を引継ぐための処理を行う。したがって、センシングロガー１０ｂも、センシングロガー１０ａと同様に、同じ環境下に設置される。センシングロガー１０ｂも、センシングロガー１０ａと同様の構成をしており、例えば、防水性や耐圧性等を有しており、水中や気圧が高い場所等の通常の環境と異なる環境でも使用できるような構成を有する。以下、本明細書では、センシングロガー１０ａとセンシングロガー１０ｂとを総称して説明する場合には、単に、センシングロガー１０と称するものとする。
【００１３】
例えば、センシングロガー１０を充電ができないような環境、例えば船舶等における貨物内の環境において、１つのセンシングロガー１０ａだけで長時間継続してログの作成を行おうとしても、途中でバッテリー残量７が無くなることが懸念されるので、バッテリー残量７が無くなる前の適切なタイミングにおいて、別のセンシングロガー１０ｂにログの作成を引継ぐ必要がある。
【００１４】
また、例えば、センシングロガー１０ａおよびセンシングロガー１０ｂが貨物とともに設置されている場合を想定する。このような場合において、例えば、センシングロガー１０ａによるログの作成を開始してから、一定期間後に、タイマー等を用いて、センシングロガー１０ｂのログの作成を開始することによってログの作成を引継ぐように計画しても、予想よりもセンシングロガー１０ａのバッテリー消耗が激しい場合には、センシングロガー１０ｂによるログの作成を開始するよりも前に、センシングロガー１０ａによるログの動作が停止し、ログの作成ができなくなってしまう。そのようなことを避けるため、ログの作成を途切れることなく、センシングロガー１０ａからセンシングロガー１０ｂへとログの作成を引継ぐための別の対策が必要となる。
【００１５】
そこで、第１の実施形態では、センシングロガー１０ａのバッテリー残量７の低下をトリガーとして、センシングロガー１０ａから、センシングロガー１０ｂへと、ログの作成を引き継ぐ。
【００１６】
具体的には、図示するように、センシングロガー１０ａのバッテリー残量７が、バッテリー残量７ａよりも少ないバッテリー残量７ｂ（例えば、残り４０％）に減少し、その後、バッテリー残量７ｂよりも少ないバッテリー残量７ｃ（例えば、残り２０％）に減少した場合を想定する。この場合、例えば、バッテリー残量７が、バッテリー残量７ｂからバッテリー残量７ｃに減少したことをトリガーとして、センシングロガー１０ｂに対して無線通信８を行う。そして、センシングロガー１０ｂは、センシングロガー１０ａとの無線通信８を確立したことをトリガーとして、ログの作成を開始する。すなわち、センシングロガー１０ａによって行われていたログの作成の引き継ぎを開始する。
【００１７】
また、センシングロガー１０は、センシングロガー１０ａ、センシングロガー１０ｂともに、図１０を参照して詳細に説明するような、センシング情報等の様々な情報を表示するための表示画面６を備えている。
【００１８】
次に、図２を参照して、第１の実施形態におけるセンシングロガー１０の構成例について説明する。なお、センシングロガー１０ａ，１０ｂは、前述したように同様の構成であるが、本実施形態の最後に説明するように異なる構成であってもよい。
【００１９】
センシングロガー１０は、バッテリー部１１、センサー１２、ログデータ格納部１３、通信部（ＲＦ）１４、リアルタイムクロック（ＲＴＣ）１５、外部インターフェース部１６、表示部１７、および制御部２０を備えてなる。
【００２０】
センシングロガー１０は、後述するセンサー１２によって計測される所定の物理量に基づきログを作成し、作成したログを記録する。なお、所定の物理量は、例えば、気圧、温度、湿度、振動、加速度、衝撃度、および光量である。
【００２１】
バッテリー部１１は、センシングロガー１０を駆動するためのバッテリー（図示せず）を有する。バッテリーは、制御部２０と接続されており、外部の電力源と接続されている外部インターフェース部１６を介して、充電可能である。しかしながら、第１の実施形態では、ログの作成中は、充電を行わない場合を想定している。
【００２２】
また、バッテリー部１１は、バッテリーの状態を示す情報、例えばバッテリー残量７に関する情報を制御部２０に送る。
【００２３】
センサー１２は、センシングロガー１０によって作成されるログに関する所定の物理量を計測する。センサー１２は、例えば、気圧センサー、温度センサー、湿度センサー、振動センサー、加速度センサー、センシングロガー１０に対する衝撃を検出するための衝撃センサー、および、光量を検出するための光量センサーを含む。そして、センサー１２によって計測された所定の物理量は、電気信号として、制御部２０に出力される。
【００２４】
ログデータ格納部１３は、制御部２０と接続されており、後述する制御部２０に設けられたログ作成部２１によって作成されたログに関するデータ（以下、「ログデータ」と称す。）を格納する。ログデータ格納部１３は、例えば不揮発性の記録素子としてログデータを記録するストレージでもある。
【００２５】
また、ログデータ格納部１３は、例えば、ログデータの空き容量を示す情報を制御部２０に送る。
【００２６】
通信部（ＲＦ）１４は、別のセンシングロガー１０（例えば、センシングロガー１０が、センシングロガー１０ａである場合、センシングロガー１０ｂ）との無線通信を行う。無線通信は、例えば、Ｂｌｕｅｔｏｏｔｈ（登録商標）、Ｗｉｆｉ（登録商標）、または、Ｔｒａｎｓｆｅｒ  Ｊｅｔ（登録商標）である。通信部１４は、例えば、制御部２０からの指示に応じて起動し、無線通信を開始する。なお、以下、無線通信可能な状態を「ＲＦモード」と称す。ＲＦモードは、センシングロガー１０の電源ＯＮの状態（以下、「電源ＯＮモード」と称す。）とは異なり、例えば、無線通信を行うために必要な機能だけ有効である状態である。
【００２７】
また、通信部１４は、例えば、Ｂｌｕｅｔｏｏｔｈ（登録商標）  ｌｏｗ  ｅｎｅｒｇｙを用いても通信する。Ｂｌｕｅｔｏｏｔｈ（登録商標）  ｌｏｗ  ｅｎｅｒｇｙは、例えばバージョン４以上のＢｌｕｅｔｏｏｔｈ（登録商標）である。そのため、例えば、ログの作成を引き継ぐセンシングロガー１０ｂは、常に電源ＯＮモードでなくてもよく、消費電力を抑えたＲＦモードで駆動された状態でも、センシングロガー１０ａからログの作成を引き継ぐことができる。
【００２８】
ＲＴＣ１５は、一般的なコンピュータに設けられている現在時刻を刻み続ける機能を有する。例えば、センシングロガー１０が電源ＯＦＦの状態（以下、「電源ＯＦＦモード」と称す。）でも、現在時刻を刻み続ける。
【００２９】
また、ＲＴＣ１５は、通信部１４によってセンシングロガー１０ａがセンシングロガー１０ｂと無線通信を行うために必要な同期処理を行うために使用される。具体的には、後述する制御部２０は、センシングロガー１０ａのＲＴＣ１５の時刻をセンシングロガー１０ｂのＲＴＣ１５の時刻に同期させる。
【００３０】
外部インターフェース部１６は、外部機器と接続するためのインターフェースである。例えば、センシングロガー１０を充電するためにＵＳＢ機器等の外部機器を接続するためのインターフェースである。また、ＵＳＢハブ等のＵＳＢ機器を用いて上述したような同期処理を行うこともできる。
【００３１】
表示部１７は、表示画面６上に様々な情報を表示させるための機能を有する。なお、表示部１７は制御部２０に設けられていてもよい。
【００３２】
制御部２０は、ログ作成部２１、バッテリーレジスタ２２、引継状態検出部２４、およびモード切替部２５を備える。
【００３３】
また、制御部２０は、バッテリー部１１、センサー１２、ログデータ格納部１３、通信部１４、ＲＴＣ１５、外部インターフェース部１６、および表示部１７と接続されている。
【００３４】
制御部２０は、センシングロガー１０ｂへログの作成を引き継ぐべき状態（以下、「引継状態」と称する。）が検出された場合、通信部１４によって、センシングロガー１０ｂとの間で通信を行うことによって、センシングロガー１０ｂにログの作成を引き継がせるための処理を行う。制御部２０は、例えば、マイコンとして実現される。
【００３５】
ログ作成部２１は、センサー１２によって計測された所定の物理量に基づき、ログを作成する。具体的には、所定の物理量をデータとして、そのデータに対して所定の処理を行いながら、ログ作成部２１に備えられたレジスタ（図示せず）等に蓄積する。そして、この蓄積されたデータに基づき、ログを作成する。作成されたログは、ログデータ格納部１３に格納するために、ログデータ格納部１３に送られる。より詳細には、所定の物理量と時間とを関連付けたログデータを作成し、作成したログデータをログデータ格納部１３に格納する。
【００３６】
バッテリーレジスタ２２は、バッテリー部１１から取得されたバッテリー残量７に関する情報に基づき、バッテリー残量７を記憶する。バッテリー残量７を示す情報は、例えば、バッテリーの電圧値またはその電圧値の変化量である。また、バッテリー残量７を示す情報は、バッテリー残量７の時系列的な変化を示す情報を含んでもよい。また、例えば、取得されたバッテリー残量７に関する情報または検出されたバッテリー残量７を示す情報を保持する。
【００３７】
なお、バッテリーレジスタ２２は、リアルタイムにバッテリー残量７を検出していなくてもよい。また、バッテリーレジスタ２２は、一定の記憶容量を有しており、例えば、電圧値が低下したことを示すフラグを立て、例えば「０」から「１」に変更して記録する。
【００３８】
引継状態検出部２４は、上述したような引継状態を検出する。例えば、バッテリー残量７が低下していることを、引継状態として検出する。より詳細には、バッテリーレジスタ２２によって検出されたバッテリー残量７に応じて、引継状態を検出する。例えば、バッテリー残量７が所定の閾値よりも低い場合、引継状態を検出する。
【００３９】
ここで、所定の閾値は、予め設定されているバッテリーの電圧値、例えば３．６Ｖである。例えば、引継状態検出部２４は、バッテリーの全容量が例えば４．１Ｖの場合、検出されたバッテリー残量７が３．６Ｖよりも低い場合、引継状態にあるとみなす。
【００４０】
また、所定の閾値は、例えば、バッテリーの全容量に対して予め設定されている割合等によって決定される値でもよい。この場合、例えば、引継状態検出部２４は、約５０日間使用し続けることが可能なバッテリーの全容量に対して所定の閾値が５０％の割合で設定されている場合、約２５日間使用可能なバッテリーを、引継状態にあるとみなす。
【００４１】
また、所定の閾値は、例えば、バッテリー残量７の減少率に応じて設定される値でもよい。ここで、バッテリー残量７の減少率は、例えば、一定期間内に減少するバッテリーの容量のバッテリーの全容量に対する割合を意味する。この場合、例えば、引継状態検出部２４は、バッテリー残量７の減少率が予め設定されている減少率よりも高い場合、または、予め設定されている減少率よりも高い減少率が所定期間継続した場合、引継状態にあるとみなす。
【００４２】
また、引継状態検出部２４は、センサー１２によって異常なイベントが検出されると、引継状態として認識する。例えば、想定されている衝撃以上の衝撃が、センサー１２のうちの衝撃センサーによって検出されたり、または、想定されていない光量が、センサー１２のうちの光量センサーによって検出された場合、これらを異常なイベントであるとみなすことによって、引継状態にあるとみなす。
【００４３】
なお、引継状態検出部２４は、衝撃センサーまたは光量センサー以外のセンサーを用いて、上述したような異常なイベントを検出した場合でも、引継状態にあるとみなしてもよい。
【００４４】
そして、制御部２０は、引継状態検出部２４によって引継状態が検出された場合、ログの作成を行っている間、通信部１４による無線通信を一定間隔で試みるための処理を行う。
【００４５】
また、制御部２０は、通信部１４がセンシングロガー１０ｂと無線通信できなかった場合、通信部１４による無線通信を試みることを停止するための処理を行ってもよい。
【００４６】
モード切替部２５は、電源ＯＦＦモード、ＲＦモード、および電源ＯＮモードを、それぞれ、互いに切替えるための処理を行う。
【００４７】
なお、請求項において、所定の物理量を計測するセンサーは、例えば、センサー１２に対応する。前記所定の物理量に基づき、ログを作成するログ作成手段は、例えば、ログ作成部２１に対応する。前記ログの作成を、別のデータロガーへ引き継ぐべき状態を検出する検出手段は、例えば、引継状態検出部２４に対応する。前記データロガーと同期された別のデータロガーと通信する通信手段は、例えば、ＲＴＣ１５に対応する。前記状態が検出された場合、前記通信手段によって、前記別のデータロガーとの間で通信を行うことによって、前記別のデータロガーにログの作成を引き継がせるための処理を行う制御手段は、例えば、制御部２０に対応する。
【００４８】
次に、図３及び図４を参照して、第１の実施形態のロガー制御処理手順の一例について説明する。なお、ここでは、図１に示したようにセンシングロガー１０ａからセンシングロガー１０ｂにログの作成が引き継がれる場合を想定して説明する。
【００４９】
図３は、第１の実施形態におけるセンシングロガー１０ａによるロガー制御処理手順の一例を示すフローチャートである。
【００５０】
センシングロガー１０ａによるロガー制御処理は、例えば、センシングロガー１０ａが電源ＯＦＦモードから電源ＯＮモードに遷移することによって開始される。より詳細には、図１０を参照して後述するようなセンシングロガー１０ａに設けられた電源ボタン９８が押下されることによって開始される。
【００５１】
なお、センシングロガー１０ａとセンシングロガー１０ｂは、各センシングロガー１０のＲＴＣ１５によって予め時刻が同期されている。同期されていることによって、例えば、後述するようにセンシングロガー１０ａとセンシングロガー１０ｂが同時刻に無線通信を行うことができる。また、ログの作成を引き継ぎ、各センシングロガー１０で作成されたログの時系列的な変化を容易に把握できる。
【００５２】
また、センシングロガー１０ａとセンシングロガー１０ｂとは、Ｂｌｕｅｔｏｏｔｈ（登録商標）を用いて予めペアリングしている必要はない。
【００５３】
ロガー制御処理が開始されることによって、ログ作成部２１によるログの作成が開始される（ステップＳ２０）。
【００５４】
次に、バッテリー部１１によって検出され、バッテリー部１１からバッテリーレジスタ２２に送られ、バッテリーレジスタ２２に記録されているバッテリー残量７に応じて、制御部２０によって引継状態であるか否か、すなわちバッテリー残量７が低下している否かが判定される（ステップＳ２２）。なお、バッテリーレジスタ２２は、インジケータとしてバッテリー残量７が低下したことを表示画面６等に示すような機能も有していてもよい。そして、ステップＳ２２において、インジケータとして示されたバッテリー残量７が低下しているか否かが判定されてもよい。
【００５５】
ステップＳ２２において、バッテリー残量７が低下していないと判定された場合（ステップＳ２２：Ｎｏ）、ステップＳ２０に戻り、ログの作成が継続される。一方、バッテリー残量７が低下していると判定された場合（ステップＳ２２：Ｙｅｓ）、ログ作成部２１よるログの作成を継続したまま、制御部２０によって、通信部１４による無線通信を一定間隔で試みるための処理が行われる（ステップＳ２４）。なお、ステップＳ２４における一定間隔は、例えば、数分または数時間でもよいし、１日でもよい。つまり、例えば、１日に数分の間隔でしか無線通信を試みない。これにより、各センシングロガー１０の消費電力を抑えることができる。
【００５６】
例えば、モード切替部２５によって、電源ＯＮモードとＲＦモードとが一定間隔で切替えられ、各モードを遷移する。なお、センシングロガー１０ａにおけるＲＦモードは、例えば、Ｂｌｕｅｔｏｏｔｈ（登録商標）  ｌｏｗ  ｅｎｅｒｇｙのクライアントとして立ち上がり、ホストとしてのセンシングロガー１０ｂに無線通信を確立するための要求を送るモードである。また、センシングロガー１０ａにおけるＲＦモードは、電源ＯＮモードにおいて無線通信可能な状態を含むモードでもある。
【００５７】
そして、制御部２０によって、センシングロガー１０ｂを検出したか否かが判定される（ステップＳ２６）。センシングロガー１０ｂが検出されないと判定された場合（ステップＳ２６：Ｎｏ）、ステップＳ２４に戻る。なお、制御部２０によって、センシングロガー１０ｂが検出されないと判定された回数が所定回数に達した場合、通信部１４による無線通信を試みることを停止するための処理が行われてもよい。このように、所定回数に達した場合、タイムアウトし、無線通信を試みることを停止することによって、例えば、センシングロガー１０ａのバッテリー残量７の低下を抑えることができる。例えば、センシングロガー１０ｂが予め設置されていないように、ログの作成を引継ぐ必要がない場合、バッテリー残量７の低下を抑えることができる。
【００５８】
また、上述したように、センシングロガー１０ａ，１０ｂは同期されているため、各センシングロガー１０は、例えば同時刻に無線通信を行い接続を確立することができる。
【００５９】
一方、センシングロガー１０ｂが検出されたと判定された場合（ステップＳ２６：Ｙｅｓ）、センシングロガー１０ａによって、センシングロガー１０ｂとの無線通信が開始される（ステップＳ２８）。そして、センシングロガー１０ａによって、センシングロガー１０ｂとの無線通信の接続が確立された後、センシングロガー１０ｂとの無線通信が終了される（ステップＳ３０）。
【００６０】
なお、ステップＳ２８およびステップＳ３０において、センシングロガー１０ａによって、例えば、センシングロガー１０ｂとの無線通信の接続が確立されることによって、センシングロガー１０ｂに対してログの作成の引き継ぎが完了する。そのため、センシングロガー１０ａは、センシングロガー１０ｂと無線通信の接続が確立された後、例えば、センシングロガー１０ａによって既に作成されているログに関する情報等をセンシングロガー１０ｂに送らなくてもよい。つまり、無線通信の接続が確立されることをトリガーとして、センシングロガー１０ｂによるログの計測が開始される。
【００６１】
そして、センシングロガー１０ａのログ作成部２１によって、ログの作成が可能な限り継続される。すなわち、バッテリー残量７が、無くなるまで、センシングロガー１０ａによるログの作成が継続される（ステップＳ３２）。
【００６２】
なお、ステップＳ３０の後、ステップＳ３２の処理を行うことなくロガー制御処理を終了してもよい。すなわち、センシングロガー１０ｂとの無線通信が終了したことによって、ロガー制御処理を終了してもよい。
【００６３】
図４は、第１の実施形態におけるセンシングロガー１０ｂによるロガー制御処理手順の一例を示すフローチャートである。
【００６４】
センシングロガー１０ｂによるロガー制御処理は、センシングロガー１０ａによるロガー制御処理と異なり、電源ＯＦＦモードから開始される（ステップＳ４０）。なお、上述したように、電源ＯＦＦモードでは、ＲＴＣ１５による現在時刻を刻み続ける機能はアクティブな状態である。そのため、ステップＳ４０の後、一定期間経過したか否かが判定される（ステップＳ４２）。なお、ステップＳ４２における判定処理は、例えば、電源ＯＦＦモードを維持したまま、行われる。
【００６５】
一定期間経過してないと判定された場合（ステップＳ４２：Ｎｏ）、ステップＳ４０に戻り、電源ＯＦＦモードを維持する。一方、一定期間経過したと判定された場合（ステップＳ４２：Ｙｅｓ）、モード切替部２５によって電源ＯＦＦモードからＲＦモードに遷移される（ステップＳ４４）。このように、モード切替部２５によって、電源ＯＦＦモードとＲＦモードとが一定間隔で切替えられ、各モードを遷移する。なお、センシングロガー１０ｂにおけるＲＦモードは、例えば、Ｂｌｕｅｔｏｏｔｈ（登録商標）  ｌｏｗ  ｅｎｅｒｇｙのホストとして立ち上がり、クライアントとしてのセンシングロガー１０ａを探知するモードである。
【００６６】
そして、制御部２０によってセンシングロガー１０ａが検出されたか否か判定される（ステップＳ４６）。センシングロガー１０ａが検出されないと判定された場合（ステップＳ４６：Ｎｏ）、ステップＳ４０に戻り、モード切替部２５によってＲＦモードから電源ＯＦＦモードに遷移される。なお、バッテリー残量７が無くなるまでに、例えば、バッテリー残量７がＲＦモードで無線通信を行うために必要なバッテリーの容量よりも小さくなるまでに、センシングロガー１０ａが検出されない場合、センシングロガー１０ｂによるロガー制御処理を終了してもよい。
【００６７】
一方、センシングロガー１０ａが検出されたと判定された場合（ステップＳ４６：Ｙｅｓ）、センシングロガー１０ａとの無線通信が開始される（ステップＳ４８）。
【００６８】
そして、センシングロガー１０ａとの無線通信を開始したこと、または、センシングロガー１０ａとの無線通信の接続が確立されたこと、に応じて、モード切替部２５によってセンシングロガー１０ｂをＲＦモードから電源ＯＮモードに遷移させ、センシングロガー１０ｂによるログの作成が開始される（ステップＳ５０）。このように、ＲＦモードにおいて、センシングロガー１０ｂとの無線通信の接続が確立すること、つまり、無線通信の接続が確立したことをトリガーとして、センシングロガー１０ｂのセンサー１２による所定の物理量の計測が開始される。
【００６９】
次に、センシングロガー１０ａとの無線通信が終了される（ステップＳ５２）。なお、ステップＳ５２の処理は、ステップＳ５０において電源ＯＮモードに遷移された後で、センシングロガー１０ｂによるログの作成が開始される前に、行ってもよい。
【００７０】
そして、センシングロガー１０ｂのログ作成部２１によって、ログの作成が可能な限り継続される。すなわち、センシングロガー１０ｂのバッテリー残量７が、無くなるまで、ログの作成が継続される（ステップＳ５４）。
【００７１】
なお、センシングロガー１０ａおよびセンシングロガー１０ｂは、それぞれ、図２に示すような構成であるが、例えば、センシングロガー１０ｂは、バッテリーレジスタ２２または引継状態検出部２４を備えていなくてもよい。
【００７２】
例えば、センシングロガー１０ｂの制御部２０は、センシングロガー１０ｂの通信部１４が、Ｂｌｕｅｔｏｏｔｈ（登録商標）  ｌｏｗ  ｅｎｅｒｇｙを用いてセンシングロガー１０ａと通信するために、ＲＦモードにおいて、Ｂｌｕｅｔｏｏｔｈ（登録商標）  ｌｏｗ  ｅｎｅｒｇｙにおけるセントラルとして立ち上がる。一方、センシングロガー１０ａの制御部２０は、センシングロガー１０ａの通信部１４が、Ｂｌｕｅｔｏｏｔｈ（登録商標）  ｌｏｗ  ｅｎｅｒｇｙを用いてセンシングロガー１０ｂと通信するために、Ｂｌｕｅｔｏｏｔｈ（登録商標）  ｌｏｗ  ｅｎｅｒｇｙにおけるペリフェラムとして立ち上がる。
【００７３】
また、センシングロガー１０ａおよびセンシングロガー１０ｂが、それぞれ、図２に示すような構成を有している場合、例えば、センシングロガー１０ｂは、センシングロガー１０ａからログの作成を引き継いだ後、さらに別のセンシングロガー１０（例えば、図示しないセンシングロガー１０ｃ）に対してログの作成を引き継ぐこともできる。つまり、３つ以上のｎ個のセンシングロガー１０に関しても上述したようなロガー制御処理を行うことによって、各センシングロガー１０間でログの作成を引き継ぐこともできる。
【００７４】
また、本実施形態では、複数のセンシングロガー１０を同様な環境に同時に設置することを想定しているが、例えば、センシングロガー１０ａ，１０ｂを所定の環境に設置し、その後、ログの作成が引継がれた後、センシングロガー１０ａをユーザ等によって他の環境に設置し、センシングロガー１０ａの代わりに図示しないセンシングロガー１０ｃをセンシングロガー１０ｂと同様な環境に設置するような場合も想定できる。
【００７５】
ここで、引継状態検出部２４によって検出される引継状態についてより詳細に説明する。引継状態は、次のような状態を含む。
【００７６】
第１の引継状態は、例えば、バッテリー残量７、またはストレージ残量が想定していたように低下し、そして所定の閾値よりも低下した自然低下状態である。この自然低下状態は、例えば、バッテリー残量７またはストレージ残量を示すアラームを、引継状態検出部２４がバッテリーレジスタ２２または後述するストレージレジスタ２３から取得することによって、検出される。
【００７７】
第２の引継状態は、バッテリー残量７、またはストレージ残量が想定したよりも早く低下した異常低下状態である。第２の実施形態において詳述するが、ストレージとしてのログデータ格納部１３のストレージ残量が異常低下した状態では、例えば、センサー１２によって所定の物理量の計測はできるが、ログを記録できない場合が想定されるため、ログの作成を引継ぐ必要がある。
【００７８】
第３の引継状態は、バッテリー、ストレージとしてのログデータ格納部１３、またはセンサー１２の故障を原因とし、例えばバッテリー残量７が低下するような、故障状態である。この故障状態は、例えば、バッテリー部１１から制御部２０に送られるバッテリーの状態を示す情報に、バッテリーの故障を示す情報が含まれている場合が想定される。また、例えば、センサー１２が故障した場合、ログの作成を継続できないため、ログの作成を引継ぐ必要がある。また、故障状態は、バッテリー等が異常な状態を示し、バッテリー等が正常に機能しない状態も含む。
【００７９】
第４の引継状態は、上述したような、衝撃センサー等により異常なイベントが検出された異常イベント検出状態である。異常イベント検出状態では、例えば、異常なイベントが検出されたセンシングロガー１０ａは、センシングロガー１０としての正常な動作が可能な期間が短くなると推定されるため、ログの作成を引継ぐ必要がある。
【００８０】
第５の引継状態は、センシング情報に異常があるデータ異常状態である。例えば、制御部２０は、ログデータに含まれるデータに修復できず壊れたような異常がある場合、エラー等を検知し、引継状態検出部２４に、データ異常状態であることを通知する。
【００８１】
以上のように、第１の実施形態によれば、センシングロガー１０ａからセンシングロガー１０ｂへとログの作成を適切なタイミングで引継ぐことによって、バッテリー駆動式のセンシングロガー１０のログ作成期間を延ばすことが可能となる。具体的には、１台目のセンシングロガー１０ａのバッテリー残量７が低下したことによって、２台目のセンシングロガー１０ｂにログの作成を引き継ぐことが可能となる。例えば、センシングロガー１０ａのバッテリー残量７が想定していたよりも早く低下した場合であっても、ログを作成できない期間が生じることを回避することが可能となる。
（第２の実施形態）
以下、図５乃至図８を参照してこの発明に係る第２の実施形態を説明する。なお、第１の実施形態と同様の構成または内容については、同じ参照番号および同じステップ番号を付すことによって、説明を省略する。
【００８２】
まず、図５を参照して、第２の実施形態の概要について説明する。図５は、第２の実施形態におけるロガー制御システム１を示す図である。
【００８３】
第２の実施形態において、センシングロガー１０ａは、ログを作成している間に、ストレージ残量９が低下した場合、センシングロガー１０ｂと無線通信８を行うことによって、センシングロガー１０ｂに対してログの作成を引継ぐための処理を行う。
【００８４】
つまり、第２の実施形態では、センシングロガー１０ａのストレージ残量９の低下をトリガーとして、センシングロガー１０ａから、センシングロガー１０ｂへと、ログの作成を引き継ぐ。
【００８５】
具体的には、図示するように、センシングロガー１０ａのストレージ残量９が、ストレージ残量９ａよりも少ないストレージ残量９ｂ（例えば、残り５０％）に減少し、その後、ストレージ残量９ｂよりも少ないストレージ残量９ｃ（例えば、残り２０％）に減少した場合を想定する。なお、図５では、ストレージ残量９ａ，９ｂ，９ｃは、それぞれ、ストレージ全容量から使用済みの容量５ａ，５ｂ，５ｃを除いた容量として示している。
【００８６】
そして、この場合、例えば、ストレージ残量９が、ストレージ残量９ｂからストレージ残量９ｃに減少したことをトリガーとして、センシングロガー１０ｂに対して無線通信８を行う。そして、センシングロガー１０ｂは、センシングロガー１０ａとの無線通信８を確立したことをトリガーとして、ログの作成を開始する。すなわち、センシングロガー１０ａによって行われていたログの作成の引き継ぎを開始する。
【００８７】
次に、図６を参照して、第２の実施形態におけるセンシングロガー１０の構成例について説明する。
【００８８】
センシングロガー１０は、図２に示した構成要素に加えて、さらに制御部２０にストレージレジスタ２３を備える。なお、第２の実施形態では、バッテリーレジスタ２２を備えていなくてもよい。
【００８９】
ストレージレジスタ２３は、ストレージとしての機能も有するログデータ格納部１３から取得されたログデータの空き容量（ストレージ残量９）を示す情報に基づき、ストレージ残量９を記憶する。ストレージ残量９は、例えば、ログデータ格納部１３の全容量から既に格納されているログデータの容量、すなわち使用済みのログデータの容量５、を除いた容量である。また、ストレージ残量９を示す情報は、例えば、ストレージ残量９の時系列的な変化を示す情報を含んでもよい。そして、ストレージレジスタ２３は、例えば、ストレージ残量９を示す情報を保持する。
【００９０】
引継状態検出部２４は、ストレージレジスタ２３によって検出されたストレージ残量９が所定の閾値よりも低いことを、引継状態として検出する。
【００９１】
ここで、所定の閾値は、例えば、ログデータ格納部１３の全容量に対して予め設定されている割合等によって決定される値でもよい。この場合、例えば、引継状態検出部２４は、約５０日間でログデータ格納部１３の全容量の約１００％を使用すると推定される場合では、約２５日間で使用されると推定される容量の約５０％の割合に達した場合、引継状態にあるとみなす。
【００９２】
また、所定の閾値は、例えば、ストレージ残量９の減少率に応じて設定される値でもよい。この場合、例えば、引継状態検出部２４は、ストレージ残量９の減少率が予め設定されている減少率よりも高い場合、または、予め設定されている減少率よりも高い減少率が所定期間継続した場合、引継状態にあるとみなす。
【００９３】
次に、図７を参照して、第２の実施形態のロガー制御処理手順の一例について説明する。なお、ここでは、図５に示したようにセンシングロガー１０ａからセンシングロガー１０ｂにログの作成が引き継がれる場合を想定して説明する。また、第１の実施形態と同様の処理を行うステップについては、同じステップ番号を付すことによって説明を省略する。
【００９４】
図７は、第２の実施形態におけるセンシングロガー１０ａによるロガー制御処理手順の一例を示すフローチャートである。
【００９５】
第２の実施形態におけるロガー制御処理は、以下に示すステップＳ６０およびステップＳ７０における処理が、第１の実施形態におけるロガー制御処理と異なる。
【００９６】
ステップＳ６０において、ストレージレジスタ２３によって検出されたストレージ残量９に応じて、制御部２０によって引継状態であるか否か、すなわちストレージ残量９が低下しているか否かが判定される（ステップＳ６０）。
【００９７】
ストレージ残量９が低下していないと判定された場合（ステップＳ６０：Ｎｏ）、ステップＳ２０に戻り、ログの作成が継続される。一方、ストレージ残量９が低下していると判定された場合（ステップＳ６０：Ｙｅｓ）、ステップＳ２４に進む。
【００９８】
また、ステップＳ３０の後、センシングロガー１０ａのログ作成部２１によって、ログの作成が可能な限り継続される。すなわち、ストレージの残量が、無くなるまで、ログの作成が継続される（ステップＳ７０）。
【００９９】
次に、図８を参照して、第２の実施形態のロガー制御処理手順の別の一例について説明する。なお、ここでも、図５に示したようにセンシングロガー１０ａからセンシングロガー１０ｂにログの作成が引き継がれる場合を想定して説明する。また、第１の実施形態と同様の処理を行うステップについては、同じステップ番号を付すことによって説明を省略する。
【０１００】
図８は、第２の実施形態におけるセンシングロガー１０ａによるロガー制御処理手順の別の一例を示すフローチャートである。
【０１０１】
図８に示すロガー制御処理は、バッテリー残量７およびストレージ残量９に応じて、センシングロガー１０ｂに対してログの作成を引継ぐための処理を行う場合を想定している。
【０１０２】
図７に示したロガー制御処理におけるステップＳ６０の処理の前に、ステップＳ２２の処理を行う。具体的には、ステップＳ２０の後、バッテリーレジスタ２２によって検出されたバッテリー残量７に応じて、制御部２０によって引継状態であるか否か、すなわちバッテリー残量７が低下している否かが判定される（ステップＳ２２）。
【０１０３】
そして、バッテリー残量７が低下していると判定された場合（ステップＳ２２：Ｙｅｓ）、ステップＳ２４に進む。一方、バッテリー残量７が低下していないと判定された場合（ステップＳ２２：Ｎｏ）、ステップＳ６０に進み、ストレージレジスタ２３によって検出されたストレージ残量９に応じて、制御部２０によって引継状態であるか否か、すなわちストレージ残量９が低下している否かが判定される（ステップＳ６０）。
【０１０４】
そして、ストレージ残量９が低下していないと判定された場合（ステップＳ６０：Ｎｏ）、ステップＳ２０に戻る。つまり、バッテリー残量７およびストレージ残量９の何れも低下していない場合は、センシングロガー１０ｂにログの作成を引き継ぐことなく、センシングロガー１０ａによるログの作成を継続する。
【０１０５】
一方、ストレージ残量９が低下していると判定された場合（ステップＳ６０：Ｙｅｓ）、ステップＳ２４に進む。
【０１０６】
なお、図８において、ステップＳ６０の処理の代わりにステップＳ２２の処理を行い、ステップＳ２２の処理の代わりにステップＳ６０の処理を行ってもよい。
【０１０７】
また、ステップＳ３０の後、センシングロガー１０ａのログ作成部２１によって、ログの作成が可能な限り継続される。すなわち、バッテリー残量７またはストレージ残量９が、無くなるまで、ログの作成が継続される（ステップＳ８０）。
【０１０８】
なお、図８において、バッテリー残量７が低下していると判定された場合、または、ストレージ残量９が低下している場合、の何れかの場合に、ステップＳ２４乃至ステップＳ８０の処理を行ってもよい。
【０１０９】
以上のように、第２の実施形態によれば、センシングロガー１０ａからセンシングロガー１０ｂへとログの作成を適切なタイミングで引継ぐことによって、バッテリー駆動式のセンシングロガー１０のログ作成期間を延ばすことが可能となる。具体的には、１台目のセンシングロガー１０ａのストレージ残量９が低下したことを検出することによって、２台目のセンシングロガー１０ｂにログの作成を引き継ぐことが可能となる。例えば、センシングロガー１０ａのストレージ残量９が想定していたよりも早く低下した場合であっても、ログを作成できない期間が生じることを回避することが可能となる。
【０１１０】
また、例えば、１台目のセンシングロガー１０ａのバッテリー残量７およびストレージ残量９が低下したことを検出することによって、２台目のセンシングロガー１０ｂにログの作成を引き継ぐことも可能となる。
【０１１１】
次に、第１の実施形態および第２の実施形態に適用される、ログデータ格納部１３に格納されているログデータについて説明する。図９は、ログデータを示すログデータテーブル８０ａ，８０ｂの一例を示している。
【０１１２】
ログデータテーブル８０ａは、ログ番号項目８１、日時項目８２、環境データ項目８３、衝撃イベントデータ項目８４、および光量イベントデータ項目８５を有する。
【０１１３】
ログ番号項目８１は、作成されたログを識別するための番号に関する情報を示している。
【０１１４】
日時項目８２は、ログが作成された年月日または時刻を含む日時に関する情報、または、ログデータがログデータ格納部１３に格納された年月日または時刻を含む日時に関する情報、を示している。
【０１１５】
環境データ項目８３は、センシングロガー１０によって取得されたセンシング情報のうちの気候情報または環境情報を示している。また、環境データ項目８３は、図示するように、温度項目８３ａ、湿度項目８３ｂ、照度項目８３ｃ、および気圧項目８３ｄを有する。温度項目８３ａは、センサー１２のうちの温度センサーによって計測された温度を示している。湿度項目８３ｂは、センサー１２のうちの湿度センサーによって計測された湿度を示している。照度項目８３ｃは、センサー１２のうちの光量センサー等の照度センサーによって計測された照度を示している。気圧項目８３ｄは、センサー１２のうちの気圧センサーによって計測された気圧を示している。
【０１１６】
衝撃イベントデータ項目８４は、センサー１２のうちの衝撃センサーによって異常なイベントとして取得された衝撃に関する情報を示している。また、図９では、衝撃イベントデータ項目８４は、センシングロガー１０に対して予め定められたＸ軸方向、Ｙ軸方向、およびＺ軸方向の各々における衝撃に関する情報を示しているＸ軸衝撃項目８４ａ、Ｙ軸衝撃項目８４ｂ、およびＺ軸衝撃項目８４ｃを有する。
【０１１７】
光量イベントデータ項目８５は、センサー１２のうちの光量センサーによって異常なイベントとして取得された光量に関する情報を示している。
【０１１８】
具体的には、図９のログデータテーブル８０ａに示すように、ログ番号項目８１、日時項目８２、環境データ項目８３、衝撃イベントデータ項目８４、および光量イベントデータ項目８５は、それぞれ、１対１に対応づけられている。
【０１１９】
例えば、ログ番号＃「１」に関するログデータは、「ｙｙ−ｍｍ−ｄｄ  ｈｈ：ｍｍ：ｓｓ１」の日時に取得されたことを示しており、環境データとして、温度「２８．５（°Ｃ）」、湿度「４７．４１（％）」、照度「７２７（Ｌｕｘ）」、および気圧「１０２０．７８（ｈＰａ）」を示している。
【０１２０】
また、ログ番号＃「２」に関するログデータは、「ｙｙ−ｍｍ−ｄｄ  ｈｈ：ｍｍ：ｓｓ２」の日時に取得されたことを示しており、光量イベントデータとして、光量「７２７（Ｌｕｘ）」を示している。
【０１２１】
また、ログ番号＃「４」に関するログデータは、「ｙｙ−ｍｍ−ｄｄ  ｈｈ：ｍｍ：ｓｓ４」の日時に取得されたことを示しており、衝撃イベントデータとして、Ｘ軸方向に対する衝撃の大きさ「０．０１（Ｇ）」、Ｙ軸方向に対する衝撃の大きさ「０．０５（Ｇ）」、およびＺ軸方向に対する衝撃の大きさ「１．０１（Ｇ）」を示している。
【０１２２】
なお、環境データ項目８３に関するデータは、例えば一定間隔で取得され、ログとして作成される。一方、衝撃イベントデータ項目４に関するデータまたは光量イベントデータ項目８５に関するデータは、例えば、異常なイベントが発生した場合、ログとして作成される。
【０１２３】
次に、ログデータテーブル８０ｂに関して説明する。  
ログデータテーブル８０ｂは、ログデータテーブル８０ａに示す情報を集計した情報を示している。具体的には、環境データログカウント数、衝撃イベントカウント数、光量イベントカウント数、およびトータルログカウント数を示している。
【０１２４】
環境データログカウント数「ｘｘ１」は、環境データ項目８３に記録されたログカウント数を示している。例えば、図９では、「ｘｘ１」は「３」に相当する。
【０１２５】
衝撃データログカウント数「ｘｘ２」は、衝撃イベントデータ項目８４に記録されたログカウント数を示している。例えば、図９では、「ｘｘ２」は「１」に相当する。
【０１２６】
光量データログカウント数「ｘｘ３」は、光量イベントデータ項目８５に記録されたログカウント数を示している。例えば、図９では、「ｘｘ３」は「１」に相当する。
【０１２７】
トータルログカウント数「ｘｘ４」は、環境データログカウント数「ｘｘ１」、衝撃イベントカウント数「ｘｘ２」、および光量イベントカウント数「ｘｘ３」の合計のログカウント数を示している。例えば、図９では、「ｘｘ４」は「５」に相当する。
【０１２８】
なお、図９に示すログデータテーブル８０ａ，８０ｂは、例えば、バイナリデータで記録されているログをＣＳＶ等のデータに変換するためのコミュニケーションツール等を用いて作成される。
【０１２９】
次に、図１０を参照して、センシングロガー１０の外観について説明する。図１０は、センシングロガー１０の外観の一例を示す斜視図である。
【０１３０】
センシングロガー１０は、例えば、２つの領域９０および領域９１を有する。領域９０は、表示画面６および光量センサー９２を有する。領域９１は、センシングロガー１０を起動させるための電源ボタン９８、および、温度センサー（図示せず）等のように、空気から所定の物理量を計測するセンサー１２のために設けられた空気孔９７を有する。なお、図１０は、センシングロガー１０の外観の一例であるため、例えば、光量センサー９２が領域９１に含まれてもよい。
【０１３１】
光量センサー９２は、例えば、センシングロガー１０が設置された環境における光量の変化を検出可能なように、外部から見えるように配置されている。
【０１３２】
表示画面６は、Ｂｌｕｅｔｏｏｔｈ（登録商標）等の無線通信の接続が確立しているか否かを示す無線通信接続表示領域９３、ログが作成されているか否かを示すログ作成中表示領域９４が、バッテリー残量７を示すバッテリー残量表示領域９５、およびセンシングロガー１０によって取得されたセンシング情報を表示するセンシング情報表示領域９６を有する。
【０１３３】
電源ボタン９８は、センシングロガー１０を起動させ電源ＯＮモードにするための機能だけでなく、例えば、センシングロガー１０を電源ＯＦＦモードにするための機能、または、無線通信が有効な有効状態と無線通信が無効な無効状態とを切替える等のファンクション機能を有していてもよい。
【０１３４】
また、以上のような第１の実施形態および第２の実施形態のロガー制御システム１は、例えば、磁気ディスク等の記録媒体に記録されたプログラムや、インターネット等の通信ネットワークを介してダウンロードしたプログラムを読み込み、このプログラムによって動作が制御されるサーバ等のコンピュータによって実現される。
【０１３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３６】
１…ロガー制御システム、６…表示画面、７…バッテリー残量、８…無線通信、９…ストレージ残量、１０…センシングロガー、１１…バッテリー部、１２…センサー、１３…ログデータ格納部、１４…通信部（ＲＦ）、１５…ＲＴＣ、１６…外部インターフェース部、１７…表示部、２０…制御部、２１…ログ作成部、２２…バッテリーレジスタ、２３…ストレージレジスタ、２４…引継状態検出部、２５…モード切替部、８０…ログデータテーブル、８１…ログ番号項目、８２…日時項目、８３…環境データ項目、８４…衝撃イベントデータ項目、８５…光量イベントデータ項目、９０，９１…領域、９２…光量センサー、９３…無線通信接続表示領域、９４…ログ作成中表示領域、９５…バッテリー残量表示領域、９６…センシング情報表示領域、９７…空気孔、９８…電源ボタン。
【図１】
2017101974.tif 000003
【図２】
2017101974.tif 000004
【図３】
2017101974.tif 000005
【図４】
2017101974.tif 000006
【図５】
2017101974.tif 000007
【図６】
2017101974.tif 000008
【図７】
2017101974.tif 000009
【図８】
2017101974.tif 000010
【図９】
2017101974.tif 000011
【図１０】
2017101974.tif 000012